(57)【要約】【課題】施工性を向上できる遮水装置を提供する。【解決手段】遮水装置１０は、水の流れを遮断する遮水板１２と、遮水板１２の水平方向端部１２ｅに対して内側から対向するように開口部１６の水平方向端部１６ｂに設けられ、遮水板１２を内側から支持する支持部２６と、遮水板１２の水平方向端部１２ｅに対して上側から対向するように開口部１６の水平方向端部１６ｂに設けられ、遮水板１２が上側へ移動することを阻止する第１移動阻止部２８と、遮水板１２と開口部１６の底部１６ａとの間に設けられた第１止水部材２０とを備えており、遮水板１２の内側に向けられた内側面１２ｄと開口部１６の底部１６ａの上面１６ｃとが成す角度θが９０度よりも小さくなっている。【選択図】図３
2016148235.tif 000002
【特許請求の範囲】
【請求項１】
建造物に設けられた開口部を外側から内側に流れようとする水の流れを遮断するための遮水装置であって、
前記開口部に着脱可能に設けられ、前記水の流れを遮断する遮水板と、
前記遮水板の水平方向端部に対して前記内側から対向するように前記開口部の水平方向端部に設けられ、前記遮水板を前記内側から支持する支持部と、
前記遮水板の水平方向端部に対して上側から対向するように前記開口部の水平方向端部に設けられ、前記遮水板が上側へ移動することを阻止する第１移動阻止部と、
前記遮水板と前記開口部の底部との間に設けられた第１止水部材とを備え、
前記遮水板の前記内側に向けられた内側面と前記開口部の底部の上面とが成す角度が９０度よりも小さくなっている、遮水装置。
【請求項２】
前記開口部の底部の上面は水平に形成されており、
前記遮水板は、その上端部がその下端部よりも前記内側に位置するように傾斜して配置されている、請求項１に記載の遮水装置。
【請求項３】
前記第１止水部材は、前記遮水板の下端部に設けられており、
前記開口部の底部は、前記遮水板が水圧を受けていないときに前記第１止水部材が当接する第１当接面と、前記遮水板が水圧を受けて湾曲したときに前記第１止水部材が当接する第２当接面とを有している、請求項１または２に記載の遮水装置。
【請求項４】
前記遮水板は、繊維強化プラスチックで形成されている、請求項３に記載の遮水装置。
【請求項５】
前記遮水板の水平方向端部の下端部に対して前記外側から対向するように前記開口部の水平方向端部に設けられ、前記遮水板が前記外側へ移動することを阻止する第２移動阻止部を備える、請求項１ないし４のいずれか１項に記載の遮水装置。
【請求項６】
前記遮水板は、板状の本体部と、前記本体部の下端部に設けられ、前記第２移動阻止部に前記内側から当接する当接部とを有しており、
前記第１止水部材は、前記本体部の下端部における前記当接部よりも前記内側の部分に設けられており、
前記本体部の前記外側に向けられた面を含む仮想面を想定したとき、前記当接部の前記外側に向けられた当接面は前記仮想面よりも前記内側に配置されている、請求項５に記載の遮水装置。
【請求項７】
前記支持部および前記第１移動阻止部が設けられた基部を備えており、
前記基部が、前記開口部の水平方向端部に固定手段を用いて固定されている、請求項１ないし６のいずれか１項に記載の遮水装置。
【請求項８】
前記遮水板の水平方向端部に対して前記外側から対向するロック位置と、前記ロック位置から外れたロック解除位置との間を移動可能なように設けられたロック部材を有するロック手段を備える、請求項１ないし７のいずれか１項に記載の遮水装置。
【請求項９】
前記ロック手段は、前記ロック部材を前記ロック解除位置で保持するための保持部材を有する、請求項８に記載の遮水装置。
【発明の詳細な説明】
【技術分野】
【０００１】
本発明は、建造物に設けられた開口部を流れようとする水の流れを遮断するための遮水装置に関する。
【背景技術】
【０００２】
特許文献１には、従来の遮水装置の一例が開示されている。この遮水装置は、止水板と、止水板を枠および床面に対して押圧するための止水板押圧具とを備えている。止水板押圧具は、雄ねじを有する棒状部分を有しており、枠には、雌ねじを有する支持受けフックが設けられている。また、止水板には、止水板押圧具が挿通される貫通孔が設けられている。止水板を開口部に装着する際には、止水板の貫通孔に止水板押圧具の棒状部分を挿通し、その後、棒状部分の雄ねじを支持受けフックの雌ねじに螺合するようにしていた。
【先行技術文献】
【特許文献】
【０００３】
【特許文献１】特開２００５−６８９６４号公報
【０００４】
特許文献１に記載された遮水装置では、合計４つの止水板押圧具を用いていたので、止水板を開口部に装着するための作業が面倒であり、施工性がよくなかった。
【発明の概要】
【０００５】
本発明は、上記問題に対処するためになされたものであり、施工性を向上できる遮水装置を提供することを目的とする。
【０００６】
上記目的を達成するため、本発明の特徴は、建造物に設けられた開口部を外側から内側に流れようとする水の流れを遮断するための遮水装置であって、前記開口部に着脱可能に設けられ、前記水の流れを遮断する遮水板と、前記遮水板の水平方向端部に対して前記内側から対向するように前記開口部の水平方向端部に設けられ、前記遮水板を前記内側から支持する支持部と、前記遮水板の水平方向端部に対して上側から対向するように前記開口部の水平方向端部に設けられ、前記遮水板が上側へ移動することを阻止する第１移動阻止部と、前記遮水板と前記開口部の底部との間に設けられた第１止水部材とを備え、前記遮水板の前記内側に向けられた内側面と前記開口部の底部の上面とが成す角度が９０度よりも小さくなっていることにある。
【０００７】
この構成において、水圧が遮水板に外側から作用すると、遮水板は支持部に押し付けられて固定される。したがって、遮水板を固定するための構成を簡素化でき、施工性を向上できる。
【０００８】
遮水板の内側面と開口部の底部の上面とが成す角度は９０度よりも小さくなっているので、遮水板の下端部が水圧で内側に押されると、上記角度が大きくなって遮水板の上端部が第１移動阻止部に押し当てられる。これにより、遮水板と開口部の底部との間で第１止水部材が圧縮され、これらの間からの水の浸入が阻止される。
【０００９】
本発明の他の特徴は、前記開口部の底部の上面は水平に形成されており、前記遮水板は、その上端部がその下端部よりも前記内側に位置するように傾斜して配置されていることにある。
【００１０】
この構成では、遮水板に作用する重力で遮水板を支持部に押し付けることができ、遮水板の安定性を高めることができる。なお、遮水板と支持部との間には、第２止水部材が配置されていてもよい。
【００１１】
前記第１止水部材は、前記遮水板の下端部に設けられており、前記開口部の底部は、前記遮水板が水圧を受けていないときに前記第１止水部材が当接する第１当接面と、前記遮水板が水圧を受けて湾曲したときに前記第１止水部材が当接する第２当接面とを有していることにある。
【００１２】
遮水板が上流側から水圧を受けると、遮水板は、その水平方向中央部が内側に膨らむように変形され、第１止水部材は第２当接面に押し付けられて圧縮される。これにより、遮水板と開口部の底部との間からの水の浸入が阻止される。
【００１３】
本発明の他の特徴は、前記遮水板は、繊維強化プラスチックで形成されていることにある。
【００１４】
この構成では、遮水板が繊維強化プラスチックで形成されているので、ステンレス等の金属で形成されている場合に比べて、遮水板の重量を大幅に軽減できる。
【００１５】
本発明の他の特徴は、前記遮水板の水平方向端部の下端部に対して前記外側から対向するように前記開口部の水平方向端部に設けられ、前記遮水板が前記外側へ移動することを阻止する第２移動阻止部を備えることにある。
【００１６】
この構成において、遮水板を開口部に装着する際には、遮水板の水平方向端部の下端部を支持部と第２移動阻止部との間で位置決めすることができる。したがって、その後は、遮水板を支持部に押し付けるだけでよく、遮水板を開口部の適正位置に簡単に配置することができる。
【００１７】
本発明の他の特徴は、前記遮水板は、板状の本体部と、前記本体部の下端部に設けられ、前記第２移動阻止部に前記内側から当接する当接部とを有しており、前記第１止水部材は、前記本体部の下端部における前記当接部よりも前記内側の部分に設けられており、前記本体部の前記外側に向けられた面を含む仮想面を想定したとき、前記当接部の前記外側に向けられた当接面は前記仮想面よりも前記内側に配置されていることにある。
【００１８】
開口部に遮水板を装着する際には、まず、遮水板の水平方向端部の下端部を支持部と第２移動阻止部との間に挿し込む。続いて、当接部と第２移動阻止部との接点を中心として遮水板の全体を内側に回動させて、遮水板を支持部に押し当てる。このとき、第１止水部材は、開口部の底部に押し当てられながら回動されるが、第１止水部材の回動半径が小さく、その移動距離が短いため、第１止水部材は損傷し難い。
【００１９】
本発明の他の特徴は、前記支持部および前記第１移動阻止部が設けられた基部を備えており、前記基部が、前記開口部の水平方向端部に固定手段を用いて固定されていることにある。
【００２０】
この構成では、部品点数を少なくして製造コストおよび工事コストを低減できる。
【００２１】
本発明の他の特徴は、前記遮水板の水平方向端部に対して前記外側から対向するロック位置と、前記ロック位置から外れたロック解除位置との間を移動可能なように設けられたロック部材を有するロック手段を備えることにある。
【００２２】
遮水板は、屋外の開口部に着脱可能に装着されるため、盗難の被害を受けるおそれがある。上記構成では、ロック部材をロック位置に配置したとき、開口部から遮水板を離脱させることができないので、ロック部材をロック位置に固定することで、遮水板の盗難を防止できる。ロック部材をロック位置に固定するための固定手段としては、市販の南京錠などを適宜選択して用いることができる。
【００２３】
本発明の他の特徴は、前記ロック手段は、前記ロック部材を前記ロック解除位置で保持するための保持部材を有することにある。
【００２４】
この構成において、開口部に対して遮水板を着脱する際には、保持部材によってロック部材をロック解除位置に退避させておくことができる。したがって、遮水板の着脱作業を一人でも簡単に行うことができる。
【図面の簡単な説明】
【００２５】
【図１】本発明の第１実施形態に係る遮水装置の構成を示す斜視図である。
【図２】図１に示す遮水装置において遮水板を離脱させた状態を示す斜視図である。
【図３】図１におけるIII-III線断面図である。
【図４】遮水板の構成を内側から示す斜視図である。
【図５】左側の支持ユニットの構成を右側から示す斜視図である。
【図６】左側の支持ユニットの構成を右側から示す分解斜視図である。
【図７】取付部材を用いた基部の固定方法を示す斜視図である。
【図８】支持部にロック部材を取り付けた状態を示す斜視図である。
【図９】開口部の底部の上面が傾斜している変形例を示す断面図である。
【図１０】第２実施形態に係る遮水装置における左側の支持ユニットの構成を右側から示す斜視図である。
【図１１】ロック手段の構成を示す分解斜視図である。
【図１２】ロック手段の構成を示す断面図である。
【図１３】第２実施形態に係る遮水装置における遮水板の構成を外側から示す斜視図である。
【図１４】図１０に示す支持ユニットに対する遮水板の装着方法を示す図である。
【図１５】当接部と第１止水部材と第２移動阻止部との位置関係を示す断面図である。
【図１６】ロック手段の動作を示す断面図であり、（Ａ）は遮水板がロック部材を押し上げた状態を示しており、（Ｂ）はロック部材がロック位置にある状態を示しており、（Ｃ）はロック部材がロック解除位置にある状態を示している。
【発明を実施するための形態】
【００２６】
以下、本発明に係る遮水装置の実施形態について図面を参照しながら説明する。
【００２７】
（第１実施形態）
図１は、本発明の第１施形態に係る遮水装置１０の構成を示す斜視図である。図２は、遮水装置１０において遮水板１２を離脱させた状態を示す斜視図である。図１および図２に示す遮水装置１０は、大雨、洪水および津波等が発生した際に、住宅、マンションおよびビル等の建造物１４に設けられた開口部１６を外側から内側に流れようとする水の流れを遮断するものである。
【００２８】
以下の説明で用いる方向の概念は、図１および図２に示す矢印の方向を基準とする。つまり、開口部１６に水が流れると仮定したときの当該水の流れの上流側を「外」、当該水の流れの下流側を「内」、外側から見て左側を「左」、外側から見て右側を「右」とする。図１および図２に示すように、遮水装置１０は左右対称に構成されているため、図において、左右対称の部分には同じ符号を付している。
【００２９】
図３は、図１におけるIII-III線断面図である。図３に示すように、遮水装置１０は、遮水板１２と、第１止水部材２０と、左右一対の第２止水部材２２とを備えている。また、遮水装置１０は、左右一対の板状の基部２４と、基部２４に対して一体的に設けられた支持部２６、第１移動阻止部２８、第２移動阻止部３０および干渉防止部材３２とを備えている。本実施形態では、これらの部分が一体となって１つの支持ユニット１８が構成されている。
【００３０】
図１に示すように、遮水板１２は、開口部１６に着脱可能に設けられて、開口部１６を流れようとする水の流れを遮断する板状部材である。本実施形態の遮水板１２は、炭素繊維強化プラスチック（ＣＦＲＰ）によって、外側（または内側）から見たときの形状が四角形になるように形成されている。遮水板１２を開口部１６に装着した状態において、遮水板１２は、その上端部１２ａがその下端部１２ｂよりも内側に位置するように所定角度θ（本実施形態では８２度）で傾斜して配置されている。つまり、図３に示すように、本実施形態では、開口部１６の底部１６ａの上面１６ｃが水平に形成されており、遮水板１２の内側に向けられた内側面１２ｄと底部１６ａの上面１６ｃとが成す角度θが９０度よりも小さくなっている。なお、遮水板１２の材質は、特に限定されるものではなく、他の繊維強化プラスチックや金属などが用いられてもよい。上記角度θは、特に限定されるものではないが、遮水装置１０の大型化を防止するために、７０〜８５度程度であることが望ましい。
【００３１】
図３に示す第１止水部材２０は、遮水板１２と開口部１６の底部１６ａとの間に設けられて、これらの間から建造物１４の内側に水が浸入することを防止するものである。本実施形態の第１止水部材２０は、ゴムおよびエラストマー等のような弾性材料（本実施形態ではクロロプレンゴム）からなる第１層２０ａおよび第２層２０ｂを有している。第２層２０ｂは第１層２０ａよりも軟質（本実施形態では高発泡倍率）に形成されている。硬質の第１層２０ａが遮水板１２の下端面１２ｃに対して、水平方向の全長にわたって延びるように接着剤などの接合材で接合されている。したがって、硬質の第１層２０ａによって、水圧で押される遮水板１２の下端部１２ｂを受け止めることができ、軟質の第２層２０ｂによって、第１止水部材２０の表面を開口部１６の底部１６ａに密接させることができる。
【００３２】
図３に示す第２止水部材２２は、遮水板１２と支持部２６との間に設けられて、これらの間から建造物１４の内側に水が浸入することを防止するものである。本実施形態の第２止水部材２２は、ゴムおよびエラストマー等のような弾性材料（本実施形態ではクロロプレンゴム）からなる第１層２２ａおよび第２層２２ｂを有している。第２層２２ｂは第１層２２ａよりも軟質（本実施形態では高発泡倍率）に形成されている。硬質の第１層２２ａが遮水板１２の内側面１２ｄに対して、上下方向の全長にわたって延びるように接着剤などの接合材で接合されている。したがって、硬質の第１層２２ａによって、水圧で押される遮水板１２の水平方向端部１２ｅを受け止めることができ、軟質の第２層２２ｂによって、第２止水部材２２の表面を支持部２６（図３）に密接させることができる。図４は、遮水板１２の構成を内側から示す斜視図である。図４に示すように、第２止水部材２２の内側に向けられた内側面２３ａと下側に向けられた下面２３ｂとの境界部には、滑らかな曲面２３ｃが形成されている。
【００３３】
図５は、左側の支持ユニット１８の構成を右側から示す斜視図である。図６は、左側の支持ユニット１８の構成を右側から示す分解斜視図である。図５に示すように、基部２４は、支持ユニット１８の本体部となる部分であり、ステンレス等の金属によって板状に形成されている。基部２４は、右側（または左側）から見たときの形状が上下方向に延びる長方形となるように形成されている。図６に示すように、基部２４には、ボルト３４が挿通される複数（本実施形態では４個）の貫通孔３６と、ボルト３８が挿通される複数（本実施形態では２個）の貫通孔４０とが形成されている。ボルト３４は、干渉防止部材３２を基部２４に固定するための固定手段である。ボルト３８は、基部２４を開口部１６の水平方向端部１６ｂ（図１）に固定するための固定手段である。
【００３４】
図２に示すように、支持部２６は、開口部１６の水平方向端部１６ｂに設けられて、遮水板１２の水平方向端部１２ｅを内側から支持する部分であり、ステンレス等の金属によって板状に形成されている。図５に示すように、支持部２６は、外側（または内側）から見たときの形状が上下方向に延びる長方形（帯状）となるように形成された第１傾斜部４２と、第１傾斜部４２の下端部から下方に連続して形成された第２傾斜部４４とを有している。第１傾斜部４２は、図４に示す第２止水部材２２の内側面２３ａが当接される部分である。図３に示すように、第１傾斜部４２は、遮水板１２の傾斜角度（本実施形態では８２度）と同じ角度で傾斜するように構成されている。
【００３５】
図３に示すように、第２傾斜部４４は、第２止水部材２２の曲面２３ｃ（図４）が当接される部分であり、底部１６ａの上面１６ｃに対して第１傾斜部４２よりも緩やかな傾斜角度（本実施形態では５５度）で傾斜するように構成されている。支持部２６は、基部２４に対して溶接等により接合されている。
【００３６】
図２に示すように、第１移動阻止部２８は、遮水板１２が上側へ移動することを阻止する部分であり、上側から見たときの形状が四角形となるように、ステンレス等の金属によって板状に形成されている。第１移動阻止部２８は、遮水板１２の水平方向端部１２ｅに対して上側から対向するように、開口部１６の水平方向端部１６ｂにおいて、支持部２６の上端部に設けられている。図５に示すように、第１移動阻止部２８は、基部２４の一方面２４ａと支持部２６の上端面２６ａとに当接し、かつ、支持部２６との間で９０度の角度を成すように水平面に対して傾斜して配置されている。第１移動阻止部２８は、基部２４および支持部２６に対して溶接等により接合されている。
【００３７】
図３に示すように、第２移動阻止部３０は、遮水板１２（特に下端部１２ｂ）が外側へ移動することを阻止する部分であり、遮水板１２の水平方向端部１２ｅ（図１）の下端部１２ｂに対して外側から対向するように開口部１６の水平方向端部１６ｂに設けられている。図６に示すように、第２移動阻止部３０は、基部２４に対して溶接等により接合された第１部分５０と、第１部分５０に対して複数（本実施形態では２個）のボルト５２を用いて取り付けられた第２部分５４とを有している。第１部分５０は、ステンレス等の金属によって板状に形成されている。第１部分５０には、ボルト５２が挿通される複数（本実施形態では２個）の貫通孔５６が形成されている。
【００３８】
図６に示すように、第２部分５４は、ポリカーボネート等の合成樹脂によってブロック状に形成されている。第２部分５４には、ボルト５２が螺合される複数（本実施形態では２個）のねじ穴５８が形成されている。図３に示すように、第２部分５４の内側に向けられた内側面６０は、互いに異なる方向に傾斜する第１面６０ａおよび第２面６０ｂを有している。第１面６０ａは、内側面６０の上部を構成する面であり、遮水板１２の装着を容易にするために、その上端部がその下端部よりも外側に位置するように傾斜して形成されている。第２面６０ｂは、内側面６０の下部を構成する面であり、装着された遮水板１２の離脱を困難にするために、その上端部がその下端部よりも内側に位置するように傾斜して形成されている。
【００３９】
図５に示すように、第２部分５４を第１部分５０にボルト５２で取り付けた状態において、第１移動阻止部２８と第２移動阻止部３０との間には、遮水板１２（図３）を装着する際に遮水板１２（図３）を通過させるための通路Ｒが構成されている。この通路Ｒには、遮水板１２の装着の妨げとなるものは存在しない。
【００４０】
図３に示すように、干渉防止部材３２は、「固定手段」としてのボルト３８と遮水板１２との干渉を防止するためのものである。本実施形態の干渉防止部材３２は、ポリカーボネート等の合成樹脂によって板状に形成されている。図６に示すように、干渉防止部材３２には、干渉防止部材３２を基部２４に取り付けるためのボルト３４が螺合される複数（本実施形態では４個）のねじ穴６２と、ボルト３８が配置される収納空間Ｓを構成するための孔６４および切欠部６６とが形成されている。干渉防止部材３２の厚さは、基部２４の一方面２４ａから突出したボルト３８の突出長さ（左右方向長さ）よりも厚くされている。したがって、ボルト３８が収納空間Ｓから外部に突出することはない。
【００４１】
以下には、図１および図２に示す遮水装置１０の使用方法を説明する。図２に示すように、通常状態においては、開口部１６は人の往来に利用されるため、開口部１６に遮水板１２は装着されていない。大雨、洪水および津波等が発生した際には、地表面Ｇを流れる水が開口部１６を通して建造物１４の内側に浸入することを防止する必要がある。そこで、作業者は、開口部１６に遮水板１２を装着する。
【００４２】
図３中の二点鎖線で示すように、遮水板１２を開口部１６に装着する際には、支持部２６と第２移動阻止部３０との間に遮水板１２の下端部１２ｂを挿し込み、これらの間に下端部１２ｂを位置決めする。その後、図３中の実線で示すように、遮水板１２の下端部１２ｂと第２移動阻止部３０との接点Ｋを中心として遮水板１２の全体を内側に回動させて、遮水板１２を支持部２６に第２止水部材２２を介して押し付ける。通路Ｒには、遮水板１２の装着の妨げとなるものは存在しないので、遮水板１２の装着作業をワンタッチで簡単に行うことができる。
【００４３】
図３に示すように、開口部１６に遮水板１２を装着した状態において、地表面Ｇを流れる水Ｗが増水すると、その水Ｗの水圧が遮水板１２の下端部１２ｂに作用して、下端部１２ｂが内側に移動される。図２に示すように、開口部１６の底部１６ａは、遮水板１２が水圧を受けていないときに第１止水部材２０（図４）が当接する第１当接面Ｑ１と、遮水板１２が水圧を受けて内側に湾曲したとき（図１中の二点鎖線を参照）に第１止水部材２０（図４）が当接する第２当接面Ｑ２とを有している。第１当接面Ｑ１と第２当接面Ｑ２とは、水平方向に連続して形成されている。したがって、第１止水部材２０（図４）が第１当接面Ｑ１から第２当接面Ｑ２へ移動する過程において、第１止水部材２０（図４）を開口部１６の底部１６ａに押し付けることができ、第１止水部材２０（図４）の浮き上がりに起因する水の浸入を防止できる。
【００４４】
図１中の二点鎖線で示すように、遮水板１２の下端部１２ｂが水圧を受けて内側に膨らむように湾曲すると、遮水板１２の傾斜角度が９０度に近づくことから、遮水板１２の上端部１２ａが上側に移動されて第１移動阻止部２８に当接される。すると、遮水板１２の上端部１２ａの上側への移動が阻止されるとともに、遮水板１２の下端部１２ｂの内側への移動が阻止される。これにより、第１止水部材２０（図４）は大きく圧縮されるので、遮水板１２と開口部１６の底部１６ａとの間からの水の浸入を防止できる。
【００４５】
（第１実施形態の効果）
本実施形態によれば、上記構成により以下の各効果を奏することができる。すなわち、図３に示すように、遮水板１２に対して水圧が外側から作用すると、遮水板１２は支持部２６に第２止水部材２２を介して押し付けられる。したがって、遮水板１２を固定するための構成を簡素化でき、施工性を向上できる。また、遮水板１２の上端部１２ａの上側への移動を第１移動阻止部２８で阻止できるので、遮水板１２の下端部１２ｂの内側への移動も阻止できる。これにより、遮水板１２と開口部１６の底部１６ａとの間で第１止水部材２０を大きく圧縮することができ、これらの間から水が浸入することを防止できる。
【００４６】
図３中の二点鎖線で示すように、遮水板１２を装着する際には、遮水板１２の水平方向端部１２ｅ（図１）の下端部１２ｂを支持部２６と第２移動阻止部３０との間に位置決めすることができるので、その後は、遮水板１２を支持部２６に第２止水部材２２を介して押し付けるだけでよく、遮水板１２を開口部１６の適正位置に簡単に装着することができる。
【００４７】
図６に示すように、支持部２６、第１移動阻止部２８および第２移動阻止部３０は、板状の基部２４に対して一体的に設けられているので、部品点数を少なくして製造コストおよび工事コストを低減できる。
【００４８】
図５に示すように、基部２４の一方面２４ａには、干渉防止部材３２が設けられているので、「固定手段」としてのボルト３８（図６）と遮水板１２（図３）との干渉を防止できる。
【００４９】
なお、本発明の実施にあたっては、上記実施形態に限定されず、本発明の目的を逸脱しない限りにおいて種々の変更が可能である。例えば、図６に示すように、上記実施形態では、「固定手段」としてのボルト３８が配置される収納空間Ｓが孔６４および切欠部６６で構成されているが、収納空間Ｓは干渉防止部材３２に設けられた凹部（図示省略）で構成されてもよい。
【００５０】
図７は、取付部材７０を用いた基部２４の固定方法を示す斜視図である。図７に示すように、基部２４を開口部１６の水平方向端部１６ｂに固定するための固定手段７２は、取付部材７０を有していてもよい。固定手段７２は、基部２４を開口部１６の水平方向端部１６ｂに取り付けるための取付部材７０と、基部２４を取付部材７０に固定するための複数（本実施形態では２個）の第１ボルト７４と、取付部材７０を開口部１６の水平方向端部１６ｂに固定するための複数（本実施形態では３個）の第２ボルト７６とを有している。取付部材７０は、上側から見たときの形状がＴ字状になるように接合された板状の第１部分７０ａおよび板状の第２部分７０ｂを有している。第１部分７０ａには、第１ボルト７４が挿通される複数（本実施形態では２個）の貫通孔７８が形成されており、第２部分７０ｂには、第２ボルト７６が挿通される複数（本実施形態では３個）の貫通孔８０が形成されている。
【００５１】
基部２４を開口部１６の水平方向端部１６ｂに直接取り付ける場合には、その取付位置が限定されるが、図７に示す構成では、取付部材７０を介して取り付けるようにしているので、取付位置を変更することができる。
【００５２】
図８は、支持部２６にロック部材８２を取り付けた状態を示す斜視図である。図８に示すように、遮水装置１０は、遮水板１２の水平方向端部１２ｅに対して外側から対向するロック位置Ｐ１と、ロック位置Ｐ１から外れたロック解除位置Ｐ２との間を移動可能なように設けられたロック部材８２を備えていてもよい。ロック部材８２は、右側から見たときの形状がＬ字状の部材であり、板状の第１部分８２ａと板状の第２部分８２ｂとを有している。第１部分８２ａの端部には、ヒンジ部８４を介して取付板部８６が設けられており、取付板部８６が支持部２６の上端部に接合されている。第１部分８２ａを第１移動阻止部２８の上面に配置すると、ロック部材８２はロック位置Ｐ１に位置決めされ、ロック部材８２を上側に回動させると、ロック部材８２はロック解除位置Ｐ２に移動される。
【００５３】
図８に示す第１移動阻止部２８の上面には、突起部９０が形成されており、ロック部材８２の第１部分８２ａには、突起部９０が挿通される貫通孔９２が形成されている。ロック部材８２をロック位置Ｐ１に配置すると、突起部９０が貫通孔９２に挿通されて第１部分８２ａの上面側に突出する。そして、「固定手段」としての南京錠９４が、突起部９０に設けられた貫通孔９０ａに第１部分８２ａの上側から装着される。
【００５４】
遮水板１２は、屋外の開口部１６（図１）に着脱可能に装着されるため、盗難の被害を受けるおそれがあるが、上記構成では、ロック部材８２をロック位置Ｐ１に配置したとき、開口部１６から遮水板１２を離脱させることができない。したがって、ロック部材８２をロック位置Ｐ１に南京錠９４で固定することで、遮水板１２の盗難を防止することができる。
【００５５】
図９は、開口部１６の底部１６ａの上面１６ｃが傾斜している変形例を示す断面図である。図９に示す遮水装置１００では、開口部１６の底部１６ａの上面１６ｃが外側から内側に向けて高くなるように所定角度（本実施形態では８度）で傾斜しており、遮水板１２の内側に向けられた内側面１２ｄと底部１６ａの上面１６ｃとが成す角度θが９０度よりも小さくなっている（本実施形態では８２度）。その結果、開口部１６における遮水板１２の水平面に対する設置角度は、略直角（９０度）になっている。
【００５６】
図９に示す遮水装置１００においても、遮水板１２を固定するための構成を簡素化できるので、施工性を向上できる。また、遮水板１２の上端部１２ａの上側への移動を第１移動阻止部２８で阻止できるので、遮水板１２の下端部１２ｂの内側への移動を阻止できる
【００５７】
（第２実施形態の構成）
図１０は、第２実施形態に係る遮水装置１０２における左側の支持ユニット１０４の構成を右側から示す斜視図である。図１０に示す支持ユニット１０４は、基部１０６、支持部１０８、第１移動阻止部１１０、第２移動阻止部１１２およびロック手段１１４を有している。ロック手段１１４を除く各構成部分は、ステンレス等の金属によって互いに連続する中空の箱状に形成されている。支持ユニット１０４を開口部１６の水平方向端部に設ける際には、基部１０６がボルト等の固定手段（図示省略）を用いて開口部１６の水平方向端部に固定される。なお、固定手段を構成するボルトの頭部やナットは、遮水板１１６との干渉を防止するために、基部１０６の内部空間に配置されてもよい。また、固定手段は、基部１０６に対して一体的に設けられた取付部（図示省略）を開口部１６の水平方向端部に固定するように構成されてもよい。
【００５８】
図１０に示すように、支持部１０８は、開口部１６の水平方向端部に設けられて、遮水板１１６の水平方向端部１１６ａ（図１３）を内側から支持する部分である。支持部１０８は、外側から見たときの形状が上下方向に延びる長方形（帯状）となるように形成された傾斜面１０８ａを有している。傾斜面１０８ａには、２つの板状の側壁部１１８ａ，１１８ｂが上下方向に延びて互いに平行に設けられている。２つの側壁部１１８ａ，１１８ｂ間には溝部１２０が構成されている。溝部１２０には線状の第２止水部材１２２（図１３）が嵌め込まれ、接着剤等の固定手段で固定されている。
【００５９】
図１１はロック手段１１４の構成を示す分解斜視図である。図１２はロック手段１１４の構成を示す断面図である。図１１に示すように、基部１０６および支持部１０８の上端部には、これらの上面を構成する蓋板１２４が接合されており、蓋板１２４には、第１移動阻止部１１０が一体的に設けられている。第１移動阻止部１１０は、遮水板１１６（図１３）が上側へ移動することを阻止する部分である。図１２に示すように、第１移動阻止部１１０の下面１１０ａは、支持部１０８の傾斜面１０８ａとの間で９０度の角度を成すように水平面に対して傾斜して形成されている。第１移動阻止部１１０の中央部には、ロック部材１３２を上下方向に移動させるための開口部１２６が形成されている。
【００６０】
図１２に示すように、ロック手段１１４は、固定板１３０と、ロック部材１３２と、把手１３４と、保持部材１３６とを有している。図１１に示すように、固定板１３０は、平面視で四角形の板状部材である。固定板１３０の４つの角部には、貫通孔１３８が形成されており、蓋板１２４には、４つの貫通孔１３８に対応する４つの貫通孔１４０が形成されている。互いに連続する貫通孔１３８と貫通孔１４０には、リベット１４２が挿通されており、４つのリベット１４２を用いて固定板１３０が蓋板１２４に固定されている。
【００６１】
図１２に示すように、ロック部材１３２は、ステンレス等の金属からなる板状（またはブロック状）の部材であり、左右方向に延びる回動軸１４４を介して固定板１３０に取り付けられている。これにより、ロック部材１３２は、遮水板１１６の水平方向端部１１６ａ（図１３）に対して外側から対向するロック位置（図１６（Ｂ））と、ロック位置から外れたロック解除位置（図１６（Ｃ））との間を移動可能になっている。
【００６２】
ロック部材１３２の下端部には、遮水板１１６の水平方向端部１１６ａ（図１３）に引っ掛けられる爪部１３２ａが形成されている。爪部１３２ａの外側の部分には、爪部１３２ａの下端部から外側に向かうにつれて高くなるように傾斜する傾斜面１３２ｂが形成されている。爪部１３２ａよりも上側におけるロック部材１３２の内側に向けられた部分には、保持部材１３６が嵌合される凹部１３２ｃが形成されている。ロック部材１３２の左右両側面における爪部１３２ａよりも上側の部分には、開口部１２６の内周部に上側から引っ掛けられる突起部１３２ｄが形成されている。
【００６３】
ロック部材１３２の左右両側面における突起部１３２ｄよりも上側の部分には、Ｖ字状のばね部材１４６がボルト１４８を介して取り付けられている。ばね部材１４６の下端部は突起部１３２ｄに当接されており、ばね部材１４６の上端部は固定板１３０に当接されている。これにより、突起部１３２ｄは、ばね部材１４６の付勢で開口部１２６の内周部に上側から押し付けられている。
【００６４】
把手１３４は、ロック部材１３２を引き上げたり、ロック部材１３２を押し下げたりする際に、操作者が手で力を加える部分であり、固定板１３０の上側に突出するようにロック部材１３２の上端部に設けられている。
【００６５】
保持部材１３６は、ロック部材１３２をロック解除位置（図１６（Ｃ））で保持するためのものである。本実施形態では、保持部材１３６としてボールプランジャが用いられている。つまり、本実施形態の保持部材１３６は、筒状の本体部１３６ａと、本体部１３６ａに内蔵されたコイルばね（図示省略）と、ボール１３６ｂとを有しており、ボール１３６ｂがコイルばね（図示省略）の付勢でロック部材１３２に押し当てられている。
【００６６】
図１３は、第２実施形態に係る遮水装置１０２における遮水板１１６の構成を外側から示す斜視図である。図１３に示すように、遮水板１１６は、炭素繊維強化プラスチック（ＣＦＲＰ）で形成された板状の本体部１５０と、本体部１５０の水平方向端部１５０ａの上端部に設けられた引っ掛け部材１５２と、本体部１５０の水平方向端部１５０ａの下端部に設けられた当接部材１５４とを有している。本体部１５０の上端部１５０ｂには、作業者が手で持つための把手１５０ｃが設けられており、本体部１５０の外側面１５０ｄには、警告のための模様（本実施形態では、黄色の斜め線）１５０ｅが表示されている。
【００６７】
引っ掛け部材１５２は、ステンレス等の金属で形成されており、本体部１５０の上端面に配置される第１部分１５２ａと、本体部１５０の内側面（図示省略）に配置される第２部分１５２ｂと、本体部１５０の外側面１５０ｄに配置される第３部分１５２ｃとを有している。第１部分１５２ａの中央部には、切り欠き部１５６が設けられており、切り欠き部１５６の内周部がロック部材１３２の爪部１３２ａ（図１２）が引っ掛けられる引っ掛け部１５６ａとなっている。
【００６８】
当接部材１５４は、ステンレス等の金属で形成されており、本体部１５０の下端面に配置される第１部分１５４ａと、第１部分１５４ａの外側の端縁から上方に延びて本体部１５０の外側面１５０ｄに配置される第２部分１５４ｂと、第１部分１５４ａの内側の端縁から下方に延びて第１止水部材１６０の外側面１６０ａに配置される第３部分１５４ｃとを有している。本実施形態では、第３部分１５４ｃが第２移動阻止部１１２（図１０）に対して内側から当接される「当接部」となっている。本体部１５０の外側面１５０ｄを含む仮想面（図示省略）を想定したとき、第３部分（以下、「当接部」という。）１５４ｃの外側に向けられた当接面１５４ｄは仮想面（図示省略）よりも内側に配置されている。
【００６９】
図１４は、支持ユニット１０４に対する遮水板１１６の装着方法を示す図である。図１５は、当接部１５４ｃと第１止水部材１６０と第２移動阻止部１１２との位置関係を示す断面図である。図１５に示すように、本実施形態の第１止水部材１６０は、本体部１５０の厚さの２分の１程度の幅で形成されており、本体部１５０の下端部における当接部１５４ｃよりも内側の部分に設けられている。これにより、第１止水部材１６０の外側への位置ずれが防止されている。
【００７０】
図１４に示すように、支持ユニット１０４に対して遮水板１１６を装着する際には、まず、遮水板１１６の水平方向端部１１６ａの下端部を支持部１０８と第２移動阻止部１１２との間で位置決めする。その後、当接部１５４ｃと第２移動阻止部１１２との接点Ｐを中心として遮水板１１６を内側に回動させて、遮水板１１６を支持部１０８に設けられた第２止水部材１２２に押し当てる。遮水板１１６を回動させるとき、第１止水部材１６０は、開口部１６の底部１６ａに押し当てられながら回動される。
【００７１】
図１５に示すように、本実施形態では、当接部１５４ｃと第２移動阻止部１１２との接点Ｐを中心として第１止水部材１６０を回動させているので、第１止水部材１６０の回動半径Ｘが小さくなるとともに、第１止水部材１６０の移動距離が短くなり、第１止水部材１６０は損傷し難い。仮に、本体部１５０の外側面１５０ｄと第２移動阻止部１１２との接点（図示省略）を中心として第１止水部材１６０を回動させる場合を想定すると、第１止水部材１６０の回動半径が大きくなって、第１止水部材１６０の移動距離が長くなるため、本実施形態に比べて第１止水部材１６０が損傷し易くなる。
【００７２】
図１６は、ロック手段１１４の動作を示す断面図であり、（Ａ）は遮水板１１６がロック部材１３２を押し上げた状態を示しており、（Ｂ）はロック部材１３２がロック位置にある状態を示しており、（Ｃ）はロック部材１３２がロック解除位置にある状態を示している。図１４中の二点鎖線で示す遮水板１１６を、接点Ｐを中心として回動させていくと、図１６（Ａ）に示すように、引っ掛け部材１５２の第２部分１５２ｂがロック部材１３２の傾斜面１３２ｂに当接し、ロック部材１３２をばね部材１４６の付勢に抗して押し上げる。その後、遮水板１１６をさらに回動させていくと、図１６（Ｂ）に示すように、切り欠き部１５６が爪部１３２ａの位置に到達し、爪部１３２ａがばね部材１４６の付勢で切り欠き部１５６に入り込む。つまり、ロック部材１３２が遮水板１１６の水平方向端部１１６ａに対して外側から対向するロック位置に位置決めされる。
【００７３】
支持部１０８から遮水板１１６を取り外す際には、図１６（Ｃ）に示すように、把手１３４を手で持ってロック部材１３２を引き上げる。すると、ロック部材１３２が回動されて凹部１３２ｃが保持部材１３６の位置に到達し、保持部材１３６のボール１３６ｂがコイルばね（図示省略）の付勢で凹部１３２ｃに嵌合される。これにより、ロック部材１３２が「ロック解除位置」で保持される。続いて、遮水板１１６の把手１５０ｃ（図１３）を手で持って支持部１０８から遮水板１１６を離脱させる。本実施形態によれば、遮水板１１６の着脱作業を一人でも簡単に行うことができる。
【００７４】
なお、第２実施形態においても、南京錠等の固定手段（図示省略）でロック部材１３２をロック位置（図１６（Ｂ））で固定することにより、遮水板１１６の盗難を防止することができる。
【符号の説明】
【００７５】
１０…遮水装置、１２…遮水板、１２ｅ…水平方向端部、１２ａ…上端部、
１２ｂ…下端部、１６…開口部、１６ａ…底部、２０…第１止水部材、２６…支持部、
２８…第１移動阻止部
【図１】
2016148235.tif 000003
【図２】
2016148235.tif 000004
【図３】
2016148235.tif 000005
【図４】
2016148235.tif 000006
【図５】
2016148235.tif 000007
【図６】
2016148235.tif 000008
【図７】
2016148235.tif 000009
【図８】
2016148235.tif 000010
【図９】
2016148235.tif 000011
【図１０】
2016148235.tif 000012
【図１１】
2016148235.tif 000013
【図１２】
2016148235.tif 000014
【図１３】
2016148235.tif 000015
【図１４】
2016148235.tif 000016
【図１５】
2016148235.tif 000017
【図１６】
2016148235.tif 000018